(57)【要約】【課題】不良なＯＮＵのみを遠隔から再起動すること。【解決手段】第１の光・電力変換部２０は、ＯＬＴ２側からの制御光を電力に変換し、電力線制御部２３は、その電力に応じた電流の流入により内部のタイマを動作させ、ＯＮＵ３からの通信光により当該タイマをリセットし、そのタイマの閾値時間まで流入し続けた場合、ＯＮＵ３の電源ライン上に挿入されている電力線スイッチ２２をオフしオンする。【選択図】図１
2014207593.tif 000002
【特許請求の範囲】
【請求項１】
局側からの制御光を電気に変換する光電変換部と、
前記電気成分の入力によりタイマを動作させ、一定時間まで入力し続けた場合に光回線装置の電源をオフしオンする電源制御部と、
を有することを特徴とする光回線装置用の遠隔電源再起動装置。
【請求項２】
前記電源制御部は、
前記光回線装置からの通信光により前記タイマをリセットすることを特徴とする請求項１記載の光回線装置用の遠隔電源再起動装置。
【請求項３】
前記光回線装置とは別筐体であり、前記光回線装置の電源電圧入力線と所定の電源電圧供給線との間に後付で挿入されることを特徴とする請求項１又は２記載の光回線装置用の遠隔電源再起動装置。
【発明の詳細な説明】
【技術分野】
【０００１】
本発明は、ＯＮＵ（Optical Network Unit）を制御する技術に関する。
【背景技術】
【０００２】
ユーザ宅内のＯＮＵを保守監視するため、特許文献１では、ＯＮＵのＬＥＤ点灯信号を無線で監視装置に送信し、その点灯状態に基づいてＯＮＵの動作状況や故障状況を遠隔から把握するようにしている。
【先行技術文献】
【特許文献】
【０００３】
【特許文献１】特開２０１１−１３０１８１号公報
【特許文献２】特開平９−１３０３４０号公報
【発明の概要】
【発明が解決しようとする課題】
【０００４】
しかしながら、落雷等によりＯＮＵがフリーズしてしまうと、フリーズ状態を自律回避する手段をＯＮＵ内部に持たないため、それ以降の動作状況等を把握できず、ユーザに電源のオフ・オンを電話等で依頼するか、ユーザ宅まで保守要員を派遣する必要があった。
【０００５】
これについて特許文献２の技術を利用することも考えられる。しかし、ＯＮＵがフリーズ状態の時に遠隔操作により電源のオフ・オンを行うには、通信装置が別途必要となる。また、ＰＯＮ（Passive Optical Network）区間内のスプリッタに収容されている全てのＯＮＵの区別は難しく、簡素な通信方式では全て再起動してしまい、正常なＯＮＵにも影響が及ぶことになる。更に、全てのＯＮＵを区別するためには、遠隔操作の通信用にＯＬＴとＯＮＵにそれぞれ相当する各通信機器を別途用意することとなり、高価となる。また、この場合、落雷等によりＯＮＵと遠隔操作用の通信機器の双方がフリーズしてしまう恐れがある。
【０００６】
本発明は、上記のような問題点を鑑みてなされたものであり、ＯＮＵを遠隔から再起動することを第１の目的とし、不良なＯＮＵのみを再起動することを第２の目的とする。
【課題を解決するための手段】
【０００７】
請求項１記載の光回線装置用の遠隔電源再起動装置は、局側からの制御光を電気に変換する光電変換部と、前記電気成分の入力によりタイマを動作させ、一定時間まで入力し続けた場合に光回線装置の電源をオフしオンする電源制御部と、を有することを要旨とする。
【０００８】
本発明によれば、局側からの制御光を電気に変換し、その電気成分の入力によりタイマを動作させ、一定時間まで入力し続けた場合に光回線装置の電源をオフしオンするため、ＯＮＵ（光回線装置）を遠隔から再起動できる。
【０００９】
請求項２記載の光回線装置用の遠隔電源再起動装置は、請求項１記載の光回線装置用の遠隔電源再起動装置において、前記電源制御部は、前記光回線装置からの通信光により前記タイマをリセットすることを要旨とする。
【００１０】
本発明によれば、光回線装置からの通信光により上記タイマをリセットするため、不良なＯＮＵのみを再起動できる。
【００１１】
請求項３記載の光回線装置用の遠隔電源再起動装置は、請求項１又は２記載の光回線装置用の遠隔電源再起動装置において、前記光回線装置とは別筐体であり、前記光回線装置の電源電圧入力線と所定の電源電圧供給線との間に後付で挿入されることを要旨とする。
【発明の効果】
【００１２】
本発明によれば、ＯＮＵを遠隔から再起動でき、不良なＯＮＵのみを再起動できる。
【図面の簡単な説明】
【００１３】
【図１】遠隔電源再起動装置の構成図である。
【図２】ＯＮＵ再起動の全体動作シーケンス図である。
【図３】全体動作説明時の第１参照図である。
【図４】全体動作説明時の第２参照図である。
【図５】全体動作説明時の第３参照図である。
【図６】電力線制御部の回路図である。
【発明を実施するための形態】
【００１４】
以下、本発明を実施する一実施の形態について図面を用いて説明する。但し、本発明は多くの異なる様態で実施することが可能であり、本実施の形態の記載内容に限定して解釈すべきではない。
【００１５】
まず、図１を参照しながら、遠隔電源再起動装置１の構成について説明する。遠隔電源再起動装置１は、外部インタフェースとして、電話局側（ＯＬＴ２の設置側）の光ファイバ５ａを接続するための第１の光通信ポート１１と、ＯＮＵ３の光ファイバ５ｂを接続するための第２の光通信ポート１２と、ＯＮＵ３の電源電圧入力線６を接続するための電源ポート１３と、家庭コンセント内の電源電圧供給線４に接続するための電源ケーブル１４とを備えている。
【００１６】
そして、その内部には、第１の光通信ポート１１を介してＯＬＴ２から送信される下り通信光（及び制御光（ＯＮＵ３がフリーズしているか否かを試験するために用いられ、通信光とは波長帯の異なる光））を分配する第１の非対称カプラ１５と、第２の光通信ポート１２を介してＯＮＵ３から送信される上り通信光を分配する第２の非対称カプラ１６とを備えている。
【００１７】
第１の非対称カプラ１５と第２の非対称カプラ１６は光ファイバ１７で直接接続されており、ＯＬＴ２とＯＮＵ３は、ＰＯＮ区間内に遠隔電源再起動装置１が挿入された場合でもそれを意識することなく互いに通信することができる。
【００１８】
また、電源ポート１３と電源ケーブル１４は電源線１８で直接接続されており、ＯＮＵ３は、自装置の電源電圧入力線６を遠隔電源再起動装置１の電源ポート１３に接続することにより、電源電圧供給線４からの電源電圧を用いて自装置を動作させることができる。
【００１９】
このような遠隔電源再起動装置１の内部には、更に、第１の非対称カプラ１５からの分配光（下り通信光及び制御光）から制御光の波長帯のみを透過する波長選択フィルタ１９と、透過された制御光を電力に変換して電力線制御部２３に入力する第１の光・電力変換部２０と、第２の非対称カプラ１６からの分配光（上り通信光）を電力に変換して電力線制御部２３に入力する第２の光・電力変換部２１と、電源線１８上に挿入接続された電力線スイッチ２２と、第１の光・電力変換部２０と第２の光・電力変換部２１からの各電力に基づいて電力線スイッチ２２を制御する電力線制御部２３とを備えている。
【００２０】
電力線制御部２３は、具体的には、第１の光・電力変換部２０から電力に応じた電流が流入した場合、内部のタイマを動作させ、一定時間まで流入し続けた際に電力線スイッチ２２をオフしオンする機能を備えている。この機能を備えることで、電話局側からの継続する制御光の入力により、ＯＮＵ３を遠隔から再起動するようにしている。
【００２１】
また、電力線制御部２３は、第２の光・電力変換部２１から電力に応じた電流が流入した場合、上記タイマをリセットする機能を備えている。この機能を備えることで、ＯＮＵ３が正常であれば上り通信光によりタイマがリセットされ、電力線スイッチ２２がオフされないことから、ＰＯＮ区間内のスプリッタ７に収容されている複数のＯＮＵのうち不良なＯＮＵのみを再起動するようにしている。
【００２２】
次に、図２〜図５を参照しながら、ＯＮＵ再起動の全体動作について説明する。図２は、全体動作の動作シーケンスであり、図３〜図５は、その動作説明時の参照図である。
【００２３】
まず、ＯＮＵ３からの上り通信光の未着等によりＯＬＴ２で通信異常が検知された場合（ステップＳ１）、電話局内の管理者により、その局内に予め用意されている制御光源８がオンされる（ステップＳ２）。
【００２４】
この制御光は、通信光用の光ファイバ５ａを介して全ての遠隔電源再起動装置１に送出され、第１の非対称カプラ１５と波長選択フィルタ１９を介して第１の光・電力変換部２０で受光される。
【００２５】
次に、各遠隔電源再起動装置１では、それぞれ、第１の光・電力変換部２０により、その制御光が電力に変換され、電力線制御部２３により、その電力による電流の流入を契機としてタイマ動作が開始される（ステップＳ３）。
【００２６】
次に、そのタイマの閾値時間が経過する前に、ＯＬＴ２により、全てのＯＮＵ３に対して通信要求が送信される（ステップＳ４）。この通信要求は、下り通信光を用いて行われ、遠隔電源再起動装置１内の光ファイバ１７を介してＯＮＵ３に直接送信される。波長選択フィルタ１９により、第１の光・電力変換部２０への入力はカットされる。
【００２７】
次に、ＯＮＵ３が正常である場合、その正常なＯＮＵ３により、ＯＬＴ２からの通信要求に応じて上り通信光による応答が送出され、遠隔電源再起動装置１内の光ファイバ１７を介してＯＬＴ２に直接送信される（ステップＳ５）。
【００２８】
また、ステップＳ５と同時に、第２の光・電力変換部２１により、その通信光が電力に変換され、電力線制御部２３により、その電力による電流の流入を契機としてタイマがリセットされる（ステップＳ６）。
【００２９】
一方、ＯＮＵ３がフリーズしている場合、その異常なＯＮＵ３’からは上り通信光が送出されないため、そのＯＮＵ３’に取り付けられている遠隔電源再起動装置１’内のタイマはリセットされず継続動作する。
【００３０】
次に、制御光の連続入力によりタイマの閾値時間に到達すると（ステップＳ７）、その遠隔電源再起動装置１’の電力線制御部２３により、異常なＯＮＵ３’の電源ライン上に挿入されている電力線スイッチ２２がオフしオンされる。これにより、その異常なＯＮＵ３’が再起動される（ステップＳ８）。
【００３１】
尚、制御光源８はオン状態のため、制御光による連続的な流入電流により、ステップＳ６〜ステップＳ８の後は各遠隔電源再起動装置１，１’のタイマ動作がそれぞれ再開される（ステップＳ９）。
【００３２】
次に、ステップＳ４と同様に、各タイマの閾値時間が経過する前に、ＯＬＴ２により、全てのＯＮＵ３に対して通信要求が再度送信される（ステップＳ１０）。
【００３３】
ここで、ステップＳ８により異常なＯＮＵ３’は正常化されているため、全てのＯＮＵ３により、その通信要求に応答するための上り通信光がそれぞれ送出され（ステップＳ１１）、全ての遠隔電源再起動装置１により、それぞれの上り通信光に基づく流入電流により各タイマがリセットされる（ステップＳ１２）。
【００３４】
その後、ＯＬＴ２により、収容している全てのＯＮＵ３から応答を受信したか否かが判定され（ステップＳ１３）、受信した場合には、電話局内の管理者により、制御光源８がオフされる（ステップＳ１４）。
【００３５】
制御光が放出されなくなるため、全ての遠隔電源再起動装置１の各タイマはそれぞれリセットされ、動作を終了する。尚、未応答のＯＮＵ３がある場合にはステップＳ４に戻り、全てのＯＮＵ３から応答を受信するまで通信要求を繰り返し送信する。
【００３６】
続いて、これまで説明した機能動作を持つ遠隔電源再起動装置１の実現例について説明する。
【００３７】
第１の光・電力変換部２０や第２の光・電力変換部２１は、例えば、太陽電池に用いられるような、光エネルギーを電力エネルギーに変換する光電変換素子を用いて実現できる。
【００３８】
また、電力線制御部２３は、例えば、コンデンサ、トランジスタ、ダイオード、ＩＣ回路、それらを組み合わせた論理回路を用いて、図６に示すような回路により実現できる。以下説明する。
【００３９】
具体的には、タイマとして動作する充電器２３ａを、充電用ライン２３ｂにより第１の光・電力変換部２０に接続し、途中分岐型の放電用ライン２３ｃによりアースと電力線スイッチ２２にそれぞれ接続している。
【００４０】
また、アースへのライン上に、動作トリガ端子を第２の光・電力変換部２１に接続した第１のスイッチ素子２３ｄを挿入し、電力線スイッチ２２へのライン上に、充電器２３ａでの電圧をトリガとして制御される第２のスイッチ素子２３ｅを挿入している。
【００４１】
電話局内で制御光が発光すると、充電用ライン２３ｂを介して第１の光・電力変換部２０から電流が流入し、充電器２３ａが充電される。その制御光の発光時間に応じて充電器２３ａの電圧値は次第に上昇するものの、正常なＯＮＵ３からの上り通信光に応じた流入電流により第１のスイッチ素子２３ｄが導通し、充電器２３ａに蓄えられた電力はアースへ放電される。
【００４２】
一方、上り通信光が発光されず充電器２３ａの電圧が閾値に到達すると、第２のスイッチ素子２３ｅが導通して電力線スイッチ２２を動作させ、ＯＮＵ３の電源がオフされる。そして、充電器２３ａの電力が十分使用されると、第２のスイッチ素子２３ｅは再び切断され、ＯＮＵ３の電源がオンされる。
【００４３】
尚、図６に示した回路構成は一例であり、例えば、光発電により論理回路で構成してもよい。また、これら以外の各機能部については、既存技術を用いて実現できる。例えば、電力線スイッチ２２は、磁力式リレースイッチやトランジスタを用いて実現できる。また、波長選択フィルタ１９は、ＷＤＭカプラを用いて実現できる。
【００４４】
以上より、本実施の形態によれば、電話局側からの制御光を電力に変換し、その電力に応じた電流の流入によりタイマを動作させ、そのタイマの閾値時間まで流入し続けた場合にＯＮＵ３の電源をオフしオンするので、ＯＮＵ３を遠隔から再起動できる。
【００４５】
また、本実施の形態によれば、ＯＮＵ３からの通信光により上記タイマをリセットするので、ＰＯＮ区間内の不良なＯＮＵ３のみを再起動できる。
【００４６】
また、本実施の形態によれば、パッシブな素子やアナログ回路等により遠隔電源再起動装置１を構成するので、本装置１を動作させるための電源は不要であり、故障率を低減することができる。
【００４７】
また、本実施の形態によれば、ＯＮＵ３とは別筐体で遠隔電源再起動装置１を構成するので、ＯＮＵ３に後付けで機能を追加することができる。既存のＯＮＵ３をそのまま利用できることから、低コストで環境に優しい遠隔電源再起動装置１を提供することができる。
【００４８】
最後に、本実施の形態では、制御光源８を新設する実施例について説明したが、ＯＮＵ３との通信を試験するためにＯＬＴ２が通常使用する試験光を制御光として用いても構わない。その場合、その新たな制御光源８を不要とすることができる。
【００４９】
また、通信光や制御光の分配装置として非対称カプラを用いた実施例について説明したが、通信光のロスをある程度許容可能であれば、対称カプラ等、少ない光でも動作する仕組みの他の装置を用いても構わない。
【符号の説明】
【００５０】
１…遠隔電源再起動装置
２…ＯＬＴ（Optical Line Terminal：光回線終端装置）
３…ＯＮＵ（Optical Network Unit：光回線装置）
４…電源電圧供給線
５ａ…電話局側の光ファイバ
５ｂ…ＯＮＵ側の光ファイバ
６…ＯＮＵの電源電圧入力線
７…スプリッタ
８…制御光源
１１…第１の光通信ポート
１２…第２の光通信ポート
１３…電源ポート
１４…電源ケーブル
１５…第１の非対称カプラ
１６…第２の非対称カプラ
１７…遠隔電源再起動装置内の光ファイバ
１８…電源線
１９…波長選択フィルタ
２０…第１の光・電力変換部（光電変換部）
２１…第２の光・電力変換部（光電変換部）
２２…電力線スイッチ
２３…電力線制御部
２３ａ…充電器
２３ｂ…充電用ライン
２３ｃ…放電用ライン
２３ｄ…第１のスイッチ素子
２３ｅ…第２のスイッチ素子
Ｓ１〜Ｓ１４…ステップ
【図１】
2014207593.tif 000003
【図２】
2014207593.tif 000004
【図３】
2014207593.tif 000005
【図４】
2014207593.tif 000006
【図５】
2014207593.tif 000007
【図６】
2014207593.tif 000008